(57)【要約】【課題】パネルと支柱との組立て及び解体が簡単で、パネルの角度も設置場所やブース形状に合わせて自由に変更が可能で、パネル高さも連続的に任意に調整出来、外観も良い移動式隔壁を提供することを目的とする。【解決手段】略矩形形状のパネルの両側端部に支柱を設けてパネル一枚又は複数枚のパネルを連続あるいは放射状に立設する移動式隔壁において、支柱を略円柱状又は円筒状に形成し、パネルの側端部と支柱側部の少なくとも一方に磁石を、他方に強磁性体を配設することで係着脱自在にした。【選択図】  図１
2004162446.tif 000002
【特許請求の範囲】
【請求項１】
略矩形形状のパネルの両側端部に支柱を設けてパネル一枚又は複数枚のパネルを連続あるいは放射状に立設する移動式隔壁において、支柱を略円柱状又は円筒状に形成し、パネルの側端部と支柱側部の少なくとも一方に磁石を、他方に強磁性体を配設することで係着脱自在にしたことを特徴とする移動式隔壁。
【請求項２】
支柱に鍔状のパネル載置部材を設け、パネル下部のコーナー部をパネル載置部材にて支持することを特徴とする請求項１記載の移動式隔壁。
【請求項３】
支柱は、支柱脚部材にパネル載置部材を取り付け、その上部に支柱円筒部材を設けた構成からなり、パネル載置部材は、支柱脚部材に対して上下方向に移動可能としたことを特徴とする請求項２記載の移動式隔壁。
【請求項４】
パネルは、上下フレームと左右の縦フレームにて骨枠を形成し、この骨枠の両面に展示板を取り付けた構成からなり、縦フレームと両側の展示板で連結凹部を形成し、又は、縦フレームに縦フレームより突出した一対のリブを設けて連結凹部を形成し、この凹部内に配設した磁石にて支柱と連結したことを特徴とする請求項１〜３いずれかに記載の移動式隔壁。
【請求項５】
略矩形形状のパネルの両側端部に支柱を設けて複数のパネルを放射状に立設する移動式隔壁において、強磁性体からなる支柱の断面形状を円形状に形成し、パネルは、上下フレームと左右の縦フレームにて骨枠を形成してこの骨枠の両面に展示板を取り付けた構成にし、縦フレームに連結凹部を形成してこの凹部底部に磁石を配設するとともに、連結凹部の外側両サイドにパネル同志の当り面を形成し、この当り面の傾斜角度が放射状に立設されるパネルの枚数に対応させて、それぞれの当り面同志が相互に当接するように設定したことを特徴とする移動式隔壁。
【請求項６】
磁力調整手段を備えたことを特徴とする請求項１記載の移動式隔壁。
【発明の詳細な説明】
【０００１】
【発明の属する技術分野】
本発明は、展示、宣伝、広告等の情報の表示や伝達のためのつい立状の展示用・間仕切り用パネル、及びその連結部材に関する。
【０００２】
【従来の技術】
公共施設や展覧会場及び各種の商業施設において、多数の展示品が展示される場合には、展示品の形態や展示目的及び展示順路等に対応して、複数の展示ブースが構築される。
【０００３】
従来、この種のブースは、展示用や間仕切用のパネルをパネル幅方向両端部にそれぞれ１本ずつ立設した支柱に、パネルの外枠体部分を専用の取付部品を用いて取り付け、垂直に立設し固定したものを複数連結し、展示ブースの形状に合わせた形状に設置される。
【０００４】
パネルは、プラスチック板や軽量金属板等の矩形状の板である展示板と、該展示板四辺外端縁に沿って取り付けたアルミニウムなど金属製やプラスチック製の補強用の外枠体（フレーム）等により構成されている。
【０００５】
これらのパネルは、通常、１つの展示ブースに多数設置されるため、多くのパネルを組立て設置するために、より簡単に組立てられるパネルが要求されている。
しかしながら、従来は例えば、特開２００１−２００６０３号公報に開示されているように、ボルト及びナット類を用いた専用の取付部品を介してパネルを支柱に取り付けているため、ブラケット等の取付部を注視しながらパネルの位置決めを行い、ネジ止め等を行う必要があった。
また、パネルを取り付ける角度は、展示ブースの形状に合わせて様々な角度が必要であるが、従来の方法では角度に応じた専用の取付具が必要であったり、支柱に角度毎の取付部を設ける必要がある上、角度は取付具等の制約があり自由に設定することが出来なかった。
また、パネルの高さは、支柱に設けられた取付部が固定されているため、任意の高さ調整が出来なかった。
それに、このようなボルト及びナット類での固定方法では、解体作業が大変であり、展示用等の短期間使用後に解体移動しなければならない用途には充分に対応出来なかった。
【０００６】
実開昭５８−１４７４６８号公報には、マグネットとジョイナーで連結する技術が開示されているが、パネルの角度を自由に変化させることができない。
【０００７】
特表平１１−５１１８２３号公報には、相対する支柱の一方にピンまたはリブを設け、他方に孔または溝を設けて可変角度式に連結し、これに磁気張力を作用させる技術が開示されているが、構造が複雑でコスト高の原因になっていた。
【０００８】
【特許文献１】
特開２００１−２００６０３号公報
【特許文献２】
実開昭５８−１４７４６８号公報
【特許文献３】
特表平１１−５１１８２３号公報
【０００９】
【発明が解決しようとする課題】
本発明は、上記のような状況を鑑みて、パネルと支柱との組立て及び解体が簡単で、パネルの角度も設置場所やブース形状に合わせて自由に変更が可能で、パネル高さも連続的に任意に調整出来、外観も良い移動式隔壁を提供することを目的とする。
【００１０】
【課題を解決するための手段】
本発明は、上記目的を達成するために講じた手段は、第１に、略矩形形状のパネルの両側端部に支柱を設けてパネル一枚又は複数枚のパネルを連続あるいは放射状に立設する移動式隔壁において、支柱を略円柱状又は円筒状に形成し、パネルの側端部と支柱側部の少なくとも一方に磁石を、他方に強磁性体を配設することで係着脱自在にした点である。
【００１１】
請求項２に記載した発明の技術的要旨は、支柱に鍔状のパネル載置部材を設け、パネル下部のコーナー部をパネル載置部材にて支持した点である。
【００１２】
請求項３に記載した発明の技術的要旨は、支柱は、支柱脚部材にパネル載置部材を取り付け、その上部に支柱円筒部材を設けた構成からなり、パネル載置部材は、支柱脚部材に対して上下方向に移動可能とした点である。
【００１３】
請求項４に記載した発明の技術的要旨は、パネルは、上下フレームと左右の縦フレームにて骨枠を形成し、この骨枠の両面に展示板を取り付けた構成からなり、縦フレームと両側の展示板で連結凹部を形成し、又は、縦フレームに縦フレームより突出した一対のリブを設けて連結凹部を形成し、この凹部内に配設した磁石にて支柱と連結した点である。
【００１４】
請求項５に記載した発明の技術的要旨は、略矩形形状のパネルの両側端部に支柱を設けて複数のパネルを放射状に立設する移動式隔壁において、強磁性体からなる支柱の断面形状を円形状に形成し、パネルは上下フレームと左右の縦フレームにて骨枠を形成して、この骨枠の両面に展示板を取り付けた構成にし、縦フレームに連結凹部を形成して、この凹部底部に磁石を配設するとともに、連結凹部の外側両サイドにパネル同志の当り面を形成し、この当り面の傾斜角度が放射状に立設されるパネルの枚数に対応させて、それぞれの当り面同志が相互に当接する様に設定した点である。
【００１５】
請求項６に記載の発明の技術的要旨は、パネルの側端部と支柱側部の少なくとも一方に磁石を、他方に強磁性体を配設することで係着脱自在にした移動式隔壁において、磁力調整手段を備えた点である。
【００１６】
このような移動式隔壁としたため、設営は支柱を立ててパネルを磁力で連結するだけとなり、ブラケット等の位置合わせのために取付部分を注視しながら隔壁を組立てる必要がなく、支柱にパネルは係着脱自在であり、設営及び解体時間の短縮が図れる。
また、高さ調整と角度調整は、専用部品や工具は不要であり、パネル載置部材の高さ調節手段として支柱に螺合させると、回転により高さを調整し、パネルを必要な角度に係着させるだけでよく、また、連続的に行うことが可能であり、細かい調整を行うことが出来る。
パネル載置部材を設けた場合、磁石の磁力は鉛直方向にパネルを保持する程強力にする必要はないため、パネルの組立て分解は軽快に行われる。
支柱とパネルとの連結部分は、縦フレームと両側の展示板で凹部を形成している場合、パネルの支柱に対するブレ防止として作用する。
また、パネルの展示板で支柱を保持する形状となるため、パネルのがたつきを防止することが出来る。
縦フレームに凹部を形成している場合も同様に、パネルの支柱に対するブレ防止、がたつき防止として作用する。
また、複数のパネルを放射状に１本の支柱に連結する際、連結凹部の外側両サイドにパネル同志の当り面を形成しているパネルを使用した場合、パネルはそれぞれの当り面同志が相互に当接することで設置角度を決定し、支柱は当り面同志が当接しているパネルの内側に覆い隠され、展示面を連続させることが出来る。また、パネルと支柱との連結力を得るための磁石は、磁力調整手段を備えている場合、設営時には連結力を強くし、解体時には連結力を弱くすることができ、隔壁の組立て、分解がより容易になる。
【００１７】
【発明の実施の形態】
本発明の移動式隔壁の実施の形態を図面に従って、以下に詳細に説明する。
図１は、移動式隔壁の全体斜視図、図２は、移動式隔壁の全体正面図である。
図１に示すようにパネル１０は、一対の支柱２０にて両側端部が立設されている。
パネル下部のコーナー部１１は、パネル載置部材３０にて支持されている。
図３（イ）は、支柱２０の分解図であり、支柱２０は、円筒形の鉄などの強磁性材料よりなる支柱円筒部材２１と支柱脚部材２２とパネル載置部材３０より構成されている。
支柱円筒部材２１内部には、支柱脚部材に連結する穴（図示省略）が設けてある。
支柱脚部材２２は、床面に接地する台座部分から雄ねじ部を形成したシャフト部が立設した形状になっている。
また、パネル載置部材３０のドーナツ状の中央の穴にめねじが形成され、支柱脚部材に螺合される。
支柱脚部材にパネル載置部材を回転し、回し入れ、支柱円筒部材を差し込み、パネル載置部材を必要な高さになるよう回転し、上下に高さ調節が行われる。
支柱円筒部材は、パネル載置部材に支持されているので、同時に上下に高さ調節される。
図３（ロ）は、支柱脚部材にパネル載置部材が螺合された状態である。
図３（ハ）は、支柱円筒部材を支柱脚部材に差し込んだ状態である。
なお、支柱円筒部材の内部に、めねじを形成して支柱脚部材を螺合させてもよい。
【００１８】
図４（イ）は、請求項４に記載の発明に対応した例であり、図２のＡ−Ａ線断面図である。
縦フレーム１２と展示板１４と展示板１５で凹部が形成され、この凹部底部に配設された磁石４０にて支柱円筒部材２１とパネル１０は連結されている。
磁石４０は、永久磁石４２のＮ極Ｓ極それぞれに強磁性材料からなる磁極板４３を設けた構成で、各磁極板は支柱方向へ突き出す形状となり、磁石結合端部４１で支柱と連結している。
磁石は、ホルダー５０に収められて縦フレーム１２に取り付けられている。
ホルダー５０には、スリット４９が設けられ、磁極板４３の磁石結合端部４１をホルダー５０外へ突出させている。
磁石４０は、ホルダー５０内を左右に移動可能となっており、図４（ロ）は支柱とパネルが分離し、磁石４０が右方向に移動した状態である。
磁石４０がホルダー５０内で移動可能であるため、移動範囲内であれば支柱の大きさや断面形状が変化しても外縁部１３に当接した支柱円筒部材２１に対して、磁石４０は引きつけられ、移動し、連結出来るように構成されている。
フレームと展示板で囲まれた空間１７は、ペーパーハニカムを入れる等して剛性をもたせてもよい。
図４（イ）は、パネルの厚さよりも支柱円筒部材２１の直径が大きい場合を示し、パネルの外縁部１３が、支柱円筒部材に当接し、パネルと支柱円筒部材が連結している連結面１６は、展示板１４と展示板１５と支柱円筒部材により覆われている。
磁石は、連結面１６を支柱円筒部材の円柱状の外形に沿う形状として、連結面にゴム等の弾性物質に粉末状の磁石を混ぜて薄板状に形成したマグネットシートを貼り付けたものでもよい。
図４（ハ）は、パネルの厚さよりも支柱円筒部材２１断面の直径が小さい場合の実施例である。
パネル１０の外縁部１９は、Ｌ字状にパネル１０内方向へ折れ、パネルと支柱円筒部材２１との連結状態で支柱円筒部材２１と当接している。
この場合、パネル１０の厚さより支柱円筒部材２１の断面の直径が小さい場合でも連結面１６を覆うことが出来る。
【００１９】
図５（イ）も、請求項４に記載の発明に対応した実施の形態であり、図２のＡ−Ａ線断面図であり、縦フレーム１２に突出したリブ５１ａが設けられ、縦フレーム１２と、このリブ５１ａにより連結凹部が形成されている。
この凹部内には、磁石４０が配設され、支柱円筒部材２１と連結している。
支柱円筒部材２１の断面の直径が、パネル１０の厚さよりも小さい場合に連結面１６を覆い、パネルと支柱との間でブレのない構造となっている。
図５（ロ）は、リブ５１ｂが展示板の外縁部より奥側に設けられている。
展示板１４、展示板１５と縦フレーム１２で凹部が形成され、連結面１６とリブ５１ｂを覆う構造となっている。
また、図５（ロ）に示したような、支柱の径がパネルの厚みより小さい場合には、支柱の両側にパネルを連結すると支柱が外部より見えなくなる。
【００２０】
図６は、請求項５記載の発明に対応した実施の形態の支柱とパネルの連結部分の斜視図である。
支柱脚部材２２（螺子は図示省略）にパネル載置台３０を螺合し、支柱円筒部材２１を差し込む状態で、２枚のパネルを近づけている。（パネルと支柱の上部は図示省略）
磁石４０により、パネルを支柱に連結し、当り面５２を例えば、パネル面方向との交わり角度を４５°にすると、この当り面が相互に当接すると、２枚のパネルは９０°の角度で設置されることになる。
なお、図６にはパネル４枚を放射状に立設出来る場合の構造にて、２枚のパネルを立設する例を示したものである。
従って、本発明において、当り面同志が当接するように当り面の傾斜角度が設定されているとは、複数のパネルが放射状に所定の角度になるように縦フレームが形成されていることをいい、必ずしも支柱の全周にわたって放射状に立設する必要はない。
図７に、パネルの左上コーナー部を示し、（イ）が正面図、（ロ）は左側面図、（ハ）は上面図、（ニ）はＢ−Ｂ線断面図、（ホ）はＣ−Ｃ線断面図である。
パネルは、縦フレーム１２と上フレーム１８で形成される骨枠の両面に展示板１４、展示板１５を取り付けて構成してある。
連結凹部は、縦フレーム、上フレーム共に形成してあり、連結凹部の両サイドにはパネル同志の当り面５２が設けてある。
パネルは、左右の縦フレーム及び上下フレームのいずれをも端部として支柱に連結可能に構成されており、１枚のパネルは支柱に連結する端部を選ぶことで、２通りのパネル高さ、パネル幅を選択可能な構造となっている。
支柱と連結した状態のＡ’−Ａ’線断面図を図８（イ）に示す。
４枚のパネルを支柱に放射状に立設した際に、それぞれの当り面５２が相互に当接するように当り面の傾斜を設定してある。
当り面５２は、縦フレーム１２と一体で構成されている。
連結面１６は、図８（ロ）のように当り面５２から磁石結合端部４１までの部分は支柱円筒部材に沿う形状となってもよい。
図９（イ）にこの当り面をもつパネルを４枚、１本の支柱を中心に放射状に取り付けた状態の斜視図を、図９（ロ）に正面図を示す。
４枚のパネルは、９０°の角度で組み付けられている。
Ｄ−Ｄ線断面図を図９（ハ）に示す。
当り面５２は、それぞれが接して支柱を展示板で隠している。
パネルは、当り面を相互に当接することにより、９０°の角度にて立設されている。
図１０（イ）に、この当り面をもつパネルを２枚、支柱に直角に取り付けた状態の斜視図を、図１０（ロ）に正面図を、Ｄ’−Ｄ’線断面図を図１０（ハ）に示す。
【００２１】
図１１は、磁石を電磁石とした場合のＡ−Ａ線断面図である。
強磁性材料の芯４６をもったコイル４４の両端から芯４６がＵの字形に延長され、支柱円筒部材を連結している。
コイルには、コイル駆動回路（図示省略）からの電流が配線（図示省略）を通して通電され、磁力を発生し、支柱と連結しており、パネル組立時や分解時は、スイッチ（図示省略）により電流が遮断され、磁力はなくなるため、パネル組立て分解は容易に行われることになる。
【００２２】
図１２（イ）は、磁石を支柱との結合面に対して面を揃えた状態と没入状態を操作選択出来るようにした実施例のＡ−Ａ線断面図で面をそろえた状態で、図１２（ロ）は没入状態である。
磁石４０は、軸５８と結合され、軸５８が操作されることで面を揃えた状態と没入状態を切りかえている。
軸５８は、使用者が操作出来るように他の軸を介して、パネル外へ突出している（図示省略）。
【００２３】
図１３（イ）は、磁石を縦フレーム１２に固定された部分と移動部分に分離可能な構造として、パネルと支柱を連結する場合には、固定部分と移動部分を密着して磁気回路を設けて支柱へ磁力が多く到達するようにし、パネルと支柱を分離する場合には、固定部分と移動部分を分離して、磁気回路に間隙を設け、支柱へ到達する磁力を減少する実施例のＡ−Ａ線断面図で、支柱と連結している状態であり、図１３（ロ）は分離している状態の断面図である。
図１３（イ）において、固定部分４７と移動部分４８よりなる強磁性体枠は、強磁性体材料で構成され、Ｎ極から出た磁界を支柱円筒部材２１との連結部である磁石結合端部４１まで導いている。
導かれた磁界は、支柱円筒部材を通り永久磁石４５のＳ極に入っている。
図１３（ロ）においては、固定部分４７と移動部分４８は、軸５８が動くことで分離され、移動部分は、永久磁石４５とともに可動空間内をパネル中心方向へ移動している。
永久磁石４５Ｎ極から出た磁界は、移動部分４８に導かれるが、支柱円筒部材方向へは間隙５５が抵抗となり、また永久磁石Ｓ極と支柱円筒部材の間にも間隙５６があるため、支柱円筒部材と磁石との間の磁力は弱められている。
【００２４】
図１３（ハ）において、固定部分４７と移動部分４８よりなる強磁性体枠は、Ｎ極から出た磁界を磁石結合端部４１へ導き、支柱円筒部材２１を経てＳ極へ入れている。
図１３（ニ）において、固定部分４７と移動部分４８は、軸５８が動くことで分離され、移動部分は可動空間内をパネル中心方向へ移動し、永久磁石４５を含む固定部分は固定されている。
永久磁石４５Ｎ極から出た磁界は、支柱円筒部材２１へ到達するには間隙５７が抵抗となっているため、支柱と磁石との間の磁力は図１３（ハ）の状態より弱められている。
【００２５】
図１４（イ）、図１４（ロ）にパネルの展示板を取り外して、磁石と磁石を移動させる作動軸を見た状態の正面図を示す。
軸５９は、支点６０を中心に動作し、連結部６１で連結されている軸５８を介して磁石４０を移動させる。
使用者は操作部６３を持ち、軸５９を操作し、磁石を没入状態にした際は、止め金６２を返し操作部を固定状態にしている。
【００２６】
【発明の効果】
本発明においては、移動式隔壁の設営は、専用の取付部品や工具を必要とせず、また、ブラケット等の取付部分を注視する必要がなく、パネルを支柱に磁力で連結すればよく、係着脱は自在であり、設営及び解体時間の短縮が図れる。
【００２７】
パネルがパネル載置部材にて支持されている場合、磁石は鉛直方向にパネルを保持する程強力である必要はないため、パネルの組立て分解は軽快に行うことができる。
【００２８】
高さ調整と角度調整は、専用の取付部品の交換を必要とせず、パネル載置部材を支柱脚部材に対して、高さ調整した上でパネルを必要な角度に係着させるため、連続的に微調整出来る。
【００２９】
パネルの外縁部又は、リブが支柱に当接しているので、支柱とパネルの磁石による連結部分は外部から見えず、外観意匠性が向上している。
また、パネルの外縁部又は一対のリブで支柱を保持する形状となるため、パネルのがたつきを防止することが出来る。
【００３０】
連結凹部の外側両サイドにパネル同志の当り面を形成しているパネルを使用した場合、パネルはそれぞれの当り面同志が相互に当接することで設置角度を決定し、支柱は当り面同志が当接しているパネルの内側に覆い隠され、展示面を連続的に立設させることが出来る。
【００３１】
パネルと支柱との連結力を得るための磁力として、電磁石等、磁力調整手段を備えたものを用いると連結使用時には強い磁力が得られ、パネルが安定して立設され、設営時には磁力を弱めることが出来るため、パネル（隔壁）の組立て、分解作業が容易である。
【図面の簡単な説明】
【図１】本発明に係る移動式隔壁の斜視図を示す。
【図２】本発明に係る移動式隔壁の正面図を示す。
【図３】（イ）支柱を支柱円筒部材とパネル載置部材と支柱脚部材に分解した分解図を示す。
（ロ）支柱脚部材にパネル載置部材を取り付けた支柱の斜視図を示す。
（ハ）支柱の斜視図を示す。
【図４】（イ）縦フレームと両側の展示板で凹部を形成した場合のＡ−Ａ線断面図で磁石結合端部が連結面から突出した状態。
（ロ）縦フレームと両側の展示板で凹部を形成した場合のＡ−Ａ線断面図で磁石がホルダー内に移動している状態。
（ハ）縦フレームと両側の展示板で凹部を形成した場合のＡ−Ａ線断面図で、パネルの厚さよりも支柱円筒部材の断面の直径が小さい場合の実施例。
【図５】（イ）縦フレームにリブを設けた場合のＡ−Ａ線断面図。
（ロ）一対の展示板の外縁部より奥側にリブを設けた場合のＡ−Ａ線断面図。
【図６】当り面を形成したパネル２枚を１本の支柱に連結する状態の斜視図。
【図７】当り面を形成したパネルの左上コーナー部分。
（イ）正面図。
（ロ）左側面図。
（ハ）上面図。
（ニ）Ｂ−Ｂ線断面図。
（ホ）Ｃ−Ｃ線断面図。
【図８】（イ）当り面を形成したパネルの支柱と連結した形態のＡ’−Ａ’線断面図。
（ロ）当り面を形成したパネルの連結面を支柱円筒部材に沿う形状とした場合のＡ’−Ａ’線断面図
【図９】（イ）当り面を形成したパネルを４枚、１本の支柱に取り付けた場合の斜視図。
（ロ）当り面を形成したパネルを４枚、１本の支柱に取り付けた場合の正面図。
（ハ）Ｄ−Ｄ線断面図
【図１０】（イ）当り面を形成したパネルを２枚、支柱に直角に取り付けた場合の斜視図。
（ロ）当り面を形成したパネルを２枚、支柱に直角に取り付けた場合の正面図。
（ハ）Ｄ’−Ｄ’線断面図。
【図１１】磁石を電磁石とした場合のＡ−Ａ線断面図。
【図１２】（イ）磁石を連結面に対して、面を揃えた状態と没入状態を操作選択出来るようにした実施例のＡ−Ａ線断面図で面を揃えた状態。
（ロ）磁石を連結面に対して、面を揃えた状態と没入状態を操作選択出来るようにした実施例のＡ−Ａ線断面図で没入状態。
【図１３】（イ）磁石を固定部分と永久磁石を含む移動部分に分離可能とした実施例のＡ−Ａ線断面図で固定部分と移動部分が密着している場合。
（ロ）磁石を固定部分と永久磁石を含む移動部分に分離可能とした実施例のＡ−Ａ線断面図で固定部分と移動部分が分離している場合。
（ハ）磁石を永久磁石を含む固定部分と移動部分に分離可能とした実施例のＡ−Ａ線断面図で固定部分と移動部分が密着している場合。
（ニ）磁石を永久磁石を含む固定部分と移動部分に分離可能とした実施例のＡ−Ａ線断面図で、固定部分と移動部分が分離している場合。
【図１４】（イ）パネルの展示板を取り外して、磁石と磁石を移動させる作動軸を見た状態の正面図。
（ロ）パネルの展示板を取り外して、磁石と磁石を移動させる作動軸を見た状態の正面図。
【符号の説明】
１０  パネル
１１  コーナー部
１２  縦フレーム
１３  外縁部
１４  展示板
１５  展示板
１６  連結面
１７  空間
１８  上フレーム
１９  外縁部
２０  支柱
２１  支柱円筒部材
２２  支柱脚部材
３０  パネル載置部材
４０  磁石
４１  磁石結合端部
４２  永久磁石
４３  磁極板
４４  コイル
４５  永久磁石
４６  芯
４７  固定部分
４８  移動部分
４９  スリット
５０  ホルダー
５１ａ、５１ｂ  リブ
５２  当り面
５５  間隙
５６  間隙
５７  間隙
５８  軸
５９  軸
６０  支点
６１  連結部
６２  止め金
６３  操作部
【図１】
2004162446.tif 000003
【図２】
2004162446.tif 000004
【図３】
2004162446.tif 000005
【図４】
2004162446.tif 000006
【図５】
2004162446.tif 000007
【図６】
2004162446.tif 000008
【図７】
2004162446.tif 000009
【図８】
2004162446.tif 000010
【図９】
2004162446.tif 000011
【図１０】
2004162446.tif 000012
【図１１】
2004162446.tif 000013
【図１２】
2004162446.tif 000014
【図１３】
2004162446.tif 000015
【図１４】
2004162446.tif 000016